(57)【要約】【課題】  複数の基地局装置と同じ数だけの保守監視ソフトを格納しておくことなく、複数の基地局装置各々のメンテナンスを正常に行えないというミスを防ぐことが可能な保守システムを提供する。【解決手段】  保守用端末装置３の保守用ソフト起動プログラム３１は基地局装置１−１に対して保守ソフトダウンロード要求を送信する。基地局装置１−１はまず保守ソフトダウンロード要求を正常に受信したことを通知するために、保守用端末装置３に対して保守ソフトダウンロード応答を送信し、保守監視ソフトデータ２−１を保守用端末装置３に対してダウンロードを行う。保守用端末装置３は保守監視ソフトデータ２−１を受信すると、保守監視ソフトデータ２−１を一時的に展開し、保守監視ソフトとして起動する。【選択図】      図１
2006058980.tif 000002
【特許請求の範囲】
【請求項１】
装置形態とサービス内容とによって用意されるソフトウェアの組み合わせから複数の種類が存在する複数の端末装置のメンテナンスを行う保守用端末装置を含む保守システムであって、
前記複数の端末装置各々に設けられかつ少なくとも当該端末装置の保守監視用ソフトウェアを保持する保持手段と、
前記保守用端末装置に設けられかつ前記保守用端末装置に接続された端末装置に対して当該端末装置の保持手段に保持された保守監視用ソフトウェアのダウンロードを要求する手段とを有し、
前記保守用端末装置にダウンロードされた保守監視用ソフトウェアの実行によって前記保守用端末装置に接続された端末装置のメンテナンスを行うことを特徴とする保守システム。
【請求項２】
前記保守監視用ソフトウェアは、前記複数の種類毎に異なることを特徴とする請求項１記載の保守システム。
【請求項３】
前記保持手段は、前記複数の種類各々に対応する保守監視用ソフトウェアを統合したソフトウェアを保持することを特徴とする請求項２記載の保守システム。
【請求項４】
前記保守用端末装置に接続された端末装置の種類を判別する手段と、その判別結果に基づいて前記統合したソフトウェアから前記保守監視用ソフトウェアを抜き出して実行する手段とを前記保守用端末装置に含むことを特徴とする請求項３記載の保守システム。
【請求項５】
自装置の種類を判別する手段と、その判別結果に基づいて前記統合したソフトウェアから前記保守監視用ソフトウェアを抜き出して前記保守用端末装置にダウンロードする手段とを前記端末装置に含むことを特徴とする請求項３記載の保守システム。
【請求項６】
装置形態とサービス内容とによって用意されるソフトウェアの組み合わせから複数の種類が存在する複数の端末装置のメンテナンスを行う保守用端末装置であって、
前記複数の端末装置各々に設けられかつ少なくとも当該端末装置の保守監視用ソフトウェアを保持する保持手段に保持された保守監視用ソフトウェアのダウンロードを自装置に接続された端末装置に対して要求する手段を有し、
自装置にダウンロードされた保守監視用ソフトウェアの実行によって自装置に接続された端末装置のメンテナンスを行うことを特徴とする保守用端末装置。
【請求項７】
前記保守監視用ソフトウェアは、前記複数の種類毎に異なることを特徴とする請求項６記載の保守用端末装置。
【請求項８】
前記保持手段が前記複数の種類各々に対応する保守監視用ソフトウェアを統合したソフトウェアを保持していることを特徴とする請求項７記載の保守用端末装置。
【請求項９】
自装置に接続された端末装置の種類を判別する手段と、その判別結果に基づいて前記統合したソフトウェアから前記保守監視用ソフトウェアを抜き出して実行する手段とを含むことを特徴とする請求項８記載の保守用端末装置。
【請求項１０】
前記端末装置の種類を判別結果に基づいて前記統合したソフトウェアから前記保守監視用ソフトウェアを抜き出されてダウンロードされるソフトウェアヲ実行して当該端末装置のメンテナンスを行うことを特徴とする請求項８記載の保守用端末装置。
【請求項１１】
装置形態とサービス内容とによって用意されるソフトウェアの組み合わせから複数の種類が存在する複数の端末装置のメンテナンスを行う保守用端末装置を含む保守システムに用いられる保守監視ソフト起動方法であって、前記保守用端末装置側に、前記複数の端末装置各々に設けられかつ少なくとも当該端末装置の保守監視用ソフトウェアを保持する保持手段に保持された保守監視用ソフトウェアのダウンロードを前記保守用端末装置に接続された端末装置に対して要求する処理を有し、前記保守用端末装置にダウンロードされた保守監視用ソフトウェアの実行によって前記保守用端末装置に接続された端末装置のメンテナンスを行うことを特徴とする保守監視ソフト起動方法。
【請求項１２】
前記保守監視用ソフトウェアが前記複数の種類毎に異なることを特徴とする請求項１１記載の保守監視ソフト起動方法。
【請求項１３】
前記保持手段が前記複数の種類各々に対応する保守監視用ソフトウェアを統合したソフトウェアを保持していることを特徴とする請求項１２記載の保守監視ソフト起動方法。
【請求項１４】
前記保守用端末装置側に、前記保守用端末装置に接続された端末装置の種類を判別する処理と、その判別結果に基づいて前記統合したソフトウェアから前記保守監視用ソフトウェアを抜き出して実行する処理とを含むことを特徴とする請求項１３記載の保守監視ソフト起動方法。
【請求項１５】
前記保守用端末装置が、前記端末装置の種類を判別結果に基づいて前記統合したソフトウェアから前記保守監視用ソフトウェアを抜き出されてダウンロードされるソフトウェアを実行して当該端末装置のメンテナンスを行うことを特徴とする請求項１３記載の保守監視ソフト起動方法。
【発明の詳細な説明】
【技術分野】
【０００１】
本発明は保守システム、保守用端末装置及びそれらに用いる保守監視ソフト起動方法に関し、特に移動体通信用基地局装置のメンテナンスを行う保守用端末装置に関する。
【背景技術】
【０００２】
現在、移動体通信用基地局装置（以下、基地局装置とする）のメンテナンスを行う場合には、専用のソフトウェアをインストールした保守用端末装置を現地に持参し、保守用端末装置を基地局装置に接続し、基地局装置と保守用端末装置との間で通信を行うことによって基地局装置のメンテナンスを行っている。
【０００３】
上記の基地局装置以外の他の機器のメンテナンス、例えば修理支援の方法としては、複数の機器各々からの機器情報データを収集し、当該機器情報データに対応する修理支援プログラムを選択して実行する方法が提案されている（例えば、特許文献１，２参照）。
【０００４】
【特許文献１】特許第３４３４６６７号公報
【特許文献２】特開平１０−８３２１７号公報
【発明の開示】
【発明が解決しようとする課題】
【０００５】
しかしなから、上述した従来の基地局装置のメンテナンスでは、様々な装置形態並びにサービス内容によって、複数のソフトウェアの組み合わせにて動作する複数の基地局装置と同じ数だけの保守監視ソフトが存在するため、実際の基地局装置とは異なる基地局装置用の保守監視ソフトを格納した保守用端末装置を現地に持参してしまうという問題がある。
【０００６】
この場合、基地局装置に保守用端末装置を接続し、通信が正常にできない等の不具合が発生することによって、初めて基地局装置と保守用端末装置とに格納された保守監視ソフトの不一致を確認することになる。
【０００７】
また、仮に基地局装置と保守用端末装置との間で接続することができたとしても、正しく基地局装置にアクセスすることができずに、移動体通信のサービスに影響を与えてしまい、大きな損害を与えてしまう可能性がある。
【０００８】
上述した特許文献１，２に記載の技術では、上記の各問題を解決すること、つまり基地局装置と保守用端末装置との間を接続してメンテナンスを行うことが可能であるが、保守用端末装置に複数の基地局装置と同じ数だけの保守監視ソフトを格納しておかなければならず、そのための記憶装置の容量が膨大なものになるという問題がある。
【０００９】
そこで、本発明の目的は上記の問題点を解消し、複数の基地局装置と同じ数だけの保守監視ソフトを格納しておくことなく、複数の基地局装置各々のメンテナンスを正常に行えないというミスを防ぐことができる保守システム、保守用端末装置及びそれらに用いる保守監視ソフト起動方法を提供することにある。
【課題を解決するための手段】
【００１０】
本発明による保守システムは、装置形態とサービス内容とによって用意されるソフトウェアの組み合わせから複数の種類が存在する複数の端末装置のメンテナンスを行う保守用端末装置を含む保守システムであって、
前記複数の端末装置各々に設けられかつ少なくとも当該端末装置の保守監視用ソフトウェアを保持する保持手段と、
前記保守用端末装置に設けられかつ前記保守用端末装置に接続された端末装置に対して当該端末装置の保持手段に保持された保守監視用ソフトウェアのダウンロードを要求する手段とを備え、
前記保守用端末装置にダウンロードされた保守監視用ソフトウェアの実行によって前記保守用端末装置に接続された端末装置のメンテナンスを行っている。
【００１１】
本発明による保守用端末装置は、装置形態とサービス内容とによって用意されるソフトウェアの組み合わせから複数の種類が存在する複数の端末装置のメンテナンスを行う保守用端末装置であって、
前記複数の端末装置各々に設けられかつ少なくとも当該端末装置の保守監視用ソフトウェアを保持する保持手段に保持された保守監視用ソフトウェアのダウンロードを自装置に接続された端末装置に対して要求する手段を備え、
自装置にダウンロードされた保守監視用ソフトウェアの実行によって自装置に接続された端末装置のメンテナンスを行っている。
【００１２】
本発明による保守監視ソフト起動方法は、装置形態とサービス内容とによって用意されるソフトウェアの組み合わせから複数の種類が存在する複数の端末装置のメンテナンスを行う保守用端末装置を含む保守システムに用いられる保守監視ソフト起動方法であって、前記保守用端末装置側に、前記複数の端末装置各々に設けられかつ少なくとも当該端末装置の保守監視用ソフトウェアを保持する保持手段に保持された保守監視用ソフトウェアのダウンロードを前記保守用端末装置に接続された端末装置に対して要求する処理を備え、前記保守用端末装置にダウンロードされた保守監視用ソフトウェアの実行によって前記保守用端末装置に接続された端末装置のメンテナンスを行っている。
【００１３】
すなわち、本発明の保守用端末装置は、複数種の移動体通信用基地局装置（以下、基地局装置とする）の保守監視を行う際、複数種の基地局装置の保守監視を一つの保守用ソフトウェアで実行可能とすることを特徴としている。
【００１４】
従来、複数種の基地局装置各々の保守監視を行うためには、複数種の保守用ソフトウェアを保守用端末装置に格納する必要があるが、本発明では複数種の基地局装置の保守監視を行う際、保守用端末装置に格納するソフトウェアを１つに統一しているので、複数種の基地局装置の保守監視を一つの保守用ソフトウェアで実行可能となる。
【００１５】
本発明の保守用端末装置による保守監視ソフト起動方法では、保守監視ソフトのデータを各基地局装置側に持たせ、保守用端末装置に格納した保守監視ソフト起動プログラムにて、各基地局装置から保守を行う際に必要となる保守監視ソフトデータをダウンロードにて入手し、その保守監視ソフトデータにて各基地局装置の保守を行う。
【００１６】
これによって、本発明の保守用端末装置では、出向いた先で、必要な保守監視ソフトデータの格納漏れに気付いて余分な手間をかけることや、基地局装置用ではない保守監視ソフトを誤って使用したために、保守を正常に行えないというミスを防ぐことが可能となる。
【発明の効果】
【００１７】
本発明は、以下に述べるような構成及び動作とすることで、複数の基地局装置と同じ数だけの保守監視ソフトを格納しておくことなく、複数の基地局装置各々のメンテナンスを正常に行えないというミスを防ぐことができるという効果が得られる。
【発明を実施するための最良の形態】
【００１８】
次に、本発明の実施例について図面を参照して説明する。図１は本発明の一実施例による保守システムの構成を示すブロック図である。図１において、本発明の一実施例による保守システムは移動体通信用基地局装置（以下、基地局装置とする）１−１〜１−４と、保守用端末装置３とから構成されている。
【００１９】
基地局装置１−１〜１−４は装置形態とサービス内容とによって用意されるソフトウェアの組み合わせから複数の種類が存在する。図１においては、基地局装置１−１〜１−４各々の装置形態をＴＹＰＥ  Ａ〜Ｃ、サービス内容毎に存在するソフトウェアのバージョンをＶｅｒ１〜３にて示す。つまり、図１では、基地局装置１−１を「ＴＹＰＥ  Ａ  Ｖｅｒ１」、基地局装置１−２を「ＴＹＰＥ  Ｂ  Ｖｅｒ１」、基地局装置１−３を「ＴＹＰＥ  Ａ  Ｖｅｒ３」、基地局装置１−４を「ＴＹＰＥ  Ｃ  Ｖｅｒ２」としている。
【００２０】
また、基地局装置１−１〜１−４は上記の装置形態及びサービス内容に応じて保守監視ソフトデータ２−１〜２−４をそれぞれ格納している。さらに、保守用端末装置３にはそれら保守監視ソフトデータ２−１〜２−４を起動するための保守監視ソフト起動プログラム３１を格納している。
【００２１】
図２は図１の基地局装置１−１及び保守用端末装置３の構成例を示すブロック図である。図２において、基地局装置１−１は保守機能部１１−１と、データ記憶機能部１２−１とから構成され、保守用端末装置３は通信機能部３２と、制御機能部３３と、記憶機能部３４とから構成されている。尚、図示していないが、基地局装置１−２〜１−４は上記の基地局装置１−１と同様の構成となっている。
【００２２】
保守機能部１１−１は基地局装置１−１内の保守監視を行う機能部であり、基地局装置１−１の保守業務を行うために保守用端末装置３と通信を行う他、基地局装置１−１内の各機能部（図示せず）へのアクセス等を行う。
【００２３】
データ記憶機能部１２−１は基地局装置１−１が本来の機能である、移動体通信用基地局装置としての機能を果たすためのさまざまなデータやソフトウェア等を格納する記憶媒体を備えている。この記憶媒体としては、例えばＲＡＭ（ランダムアクセスメモリ）やＲＯＭ（リードオンリメモリ）、ハードディスクや光磁気ディスク等が使用可能である。
【００２４】
保守用端末装置３は持ち運び可能な構成で、一般的にはノート型パーソナルコンピュータやＰＤＡ（Ｐｅｒｓｏｎａｌ  Ｄｉｇｉｔａｌ  Ａｓｓｉｓｔａｎｔ）が使用可能である。
【００２５】
保守用端末装置３の通信機能部３２は基地局装置１−１の保守機能部１１−１と通信を行う。この場合、通信方法としては、一般的に広く使われている通信方法であれば、特に制限はないが、基地局装置１−１の保守機能部１１−１においても同様の通信を行う構成が必要となる。例えば、その通信方法としては、Ｅｔｈｅｒｎｅｔ（登録商標）や光通信等のケーブル接続や、無線ＬＡＮ（Ｌｏｃａｌ  Ａｒｅａ  Ｎｅｔｗｏｒｋ）等の無線にて通信を行う方法、または赤外線にて通信を行う方法等が考えられる。
【００２６】
制御機能部３３は保守用端末装置３の制御を行う部分であり、一般的にはＣＰＵ（中央処理装置）が用いられ、ここではその周辺装置全ての総称として記載することとする。
【００２７】
記憶機能部３４は、一般的に広く使用されている記憶媒体を示しており、その記憶媒体としては、例えばＲＡＭやＲＯＭ、ハードディスクや光磁気ディスク等が使用可能である。
【００２８】
図３は本発明の一実施例による保守システムの動作を示すシーケンスチャートである。これら図１〜図３を参照して本発明の一実施例による保守システムの動作について説明する。
【００２９】
本発明の一実施例による保守システムでは、各基地局装置１−１〜１−４において、保守を行うために必要な保守用端末装置３に格納するソフトウェアを１つに統一することによって、どのような装置形態並びにサービス内容であっても、一台の保守用端末装置３から保守を行うことを可能としている。以下、基地局装置１−１と保守用端末装置３とにおいて通信を行う場合について説明する。
【００３０】
基地局装置１−１と保守用端末装置３とにおいて通信を行うために、保守用端末装置３の制御機能部３３は記憶機能部３４にアクセスし、記憶機能部３４に格納している基地局装置１−１と保守用端末装置３との通信を行うための制御が記載されている保守用ソフト起動プログラム３１を実行する。
【００３１】
保守用ソフト起動プログラム３１は保守用端末装置３の制御機能部３３にて動作し、通信機能部３２から基地局装置１−１の保守機能部１１−１に対して、保守ソフトダウンロード要求を送信する（図３のａ１）。
【００３２】
基地局装置１−１の保守機能部１１−１は保守用端末装置３から保守ソフトダウンロード要求を受信すると、まず保守ソフトダウンロード要求を正常に受信したことを通知するために、保守用端末装置３に対して保守ソフトダウンロード応答を送信する（図３のａ２）。保守用端末装置３は通信機能部３２にて受信した保守ソフトダウンロード応答を制御機能部３３にて処理し、保守監視ソフトデータ２−１のダウンロード待ち状態となる。
【００３３】
基地局装置１−１の保守機能部１１−１は保守ソフトダウンロード応答を送信した後、データ記憶機能部１２−１に対して、データ記憶機能部１２−１内にある保守監視ソフトデータ要求を実施する（図３のａ３）。データ記憶機能部１２−１は保守監視ソフトデータ要求が実施されると、保守機能部１１−１に対して保守監視ソフトデータ２−１を転送する（図３のａ４）。保守機能部１１−１はデータ記憶機能部１２−１から転送された保守監視ソフトデータ２−１を保守用端末装置３に対してダウンロードを行う（図３のａ５）。
【００３４】
保守用端末装置３の通信機能部３２は保守監視ソフトデータ２−１を受信した場合に、制御機能部３３にて処理を実施し、記憶機能部３４で通信機能部３２にて受信した保守監視ソフトデータ２−１を一時的に展開し（図３のａ６）、保守監視ソフトとして起動する（図３のａ７）。
【００３５】
保守監視ソフトデータ２−１に関しては、従来、使用していた基地局装置１−１専用の保守監視ソフトと同様に、保守用端末装置３上で動作し、基地局装置１−１専用の保守監視ソフトであるため、従来と遜色のない保守業務を行うことが可能となる（図３のａ８）。
【００３６】
このように、本実施例では、保守用端末装置３に、基地局装置１−１〜１−４の全装置形態において使用可能な保守用ソフト起動プログラム３１を格納しておき、基地局装置１−１〜１−４側で専用の保守監視ソフトデータ２−１〜２−４を持つことで、予め基地局装置１−１〜１−４の装置形態及びソフトウェアの確認を実施し、専用の保守監視ソフトを準備する必要がないため、予め基地局装置１−１〜１−４の装置構成やサービス内容を調べる手間を省くことができる。
【００３７】
また、今まで、作業者が基地局装置に対応した保守監視ソフトを保守用端末装置の記憶機能部に格納してある複数の保守監視ソフトから選択して起動し、保守業務を実施することで、誤った保守監視ソフトにて保守業務を実施してしまう可能性があるが、本実施例では、基地局装置１−１〜１−４に対応した専用の保守監視ソフトデータ２−１〜２−４を保守業務を行う基地局装置１−１〜１−４からダウンロードすることによって、誤った保守監視ソフトを使用することがなくなるので、誤った操作を基地局装置１−１〜１−４に対して行うことを防ぐことができる。
【００３８】
さらに、今まで、基地局装置１−１〜１−４各々の装置形態毎に、保守用端末装置を用意するか、保守用端末装置の記憶機能部に全ての装置形態に対応する保守監視ソフトを格納しているが、本実施例では、基地局装置１−１〜１−４に対応した専用の保守監視ソフトデータ２−１〜２−４を保守業務を行う基地局装置１−１〜１−４からダウンロードすることによって、記憶機能部３４の容量を削減することができ、保守用端末装置３にかかる費用を抑えることができる。
【００３９】
図４は本発明の他の実施例による保守システムの構成を示すブロック図である。図４において、本発明の他の実施例による保守システムは、上述した本発明の一実施例による保守システムが基地局装置１−１〜１−４において全て異なった保守監視ソフトデータ２−１〜２−４を保存しているのに対し、基地局装置４−１〜４−４に同一のデータとして結合保守監視ソフトデータ５を格納している。
【００４０】
図５は図４の基地局装置４−１及び保守用端末装置３の構成例を示すブロック図である。図５において、基地局装置４−１は保守機能部４１−１と、データ記憶機能部４２−１とから構成され、保守用端末装置３は通信機能部３２と、制御機能部３３と、記憶機能部３４とから構成されている。尚、図示していないが、基地局装置４−２〜４−４は上記の基地局装置４−１と同様の構成となっている。
【００４１】
図６は図４の結合保守監視ソフトデータ５の構成例を示す図である。図６において、結合保守監視ソフトデータ５は基地局装置４−１〜４−４毎に異なる保守監視ソフトデータを結合し、一つのデータとしたものである。
【００４２】
つまり、結合保守監視ソフトデータ５は「ＴＹＰＥ  Ａ  Ｖｅｒ１用の保守監視ソフトデータ」５１、「ＴＹＰＥ  Ａ  Ｖｅｒ２用の保守監視ソフトデータ」５２、「ＴＹＰＥ  Ｂ  Ｖｅｒ１用の保守監視ソフトデータ」５３、「ＴＹＰＥ  Ｂ  Ｖｅｒ２用の保守監視ソフトデータ」５４、「ＴＹＰＥ  Ｃ  Ｖｅｒ１用の保守監視ソフトデータ」５５、・・・・から構成されている。
【００４３】
図７は本発明の他の実施例による保守システムの動作を示すシーケンスチャートである。これら図４〜図７を参照して本発明の他の実施例による保守システムの動作について説明する。以下、基地局装置４−１の場合に関して、上述した本発明の一実施例による保守システムとの差分について説明する。
【００４４】
基地局装置４−１の保守機能部４１−１は基地局装置４−１がどのような装置形態並びにサービス内容を実施しているかを判断することが可能である。そこで、保守機能部４１−１は保守ソフトダウンロード応答を送信する際に（図７のｂ２）、基地局装置４−１の装置構成並びにサービス内容を基地局装置状態報告として保守用端末装置３の通信機能部３２経由で制御機能部３３に対して送信する（図７のｂ４）。
【００４５】
保守用端末装置３の制御機能部３３は保守ソフトダウンロード応答を受信したことによって、保守監視ソフトデータ５の待ち状態となり、さらに基地局装置状態報告を受信したことによって、基地局装置４−１の種類が「ＴＹＰＥ  Ａ  Ｖｅｒ  １」であることを判断する。
【００４６】
保守用端末装置３の制御機能部３３は結合保守監視ソフトデータ５を受信した際に（図７のｂ６）、記憶機能部３４に受信した結合保守監視ソフトデータ５から「ＴＹＰＥ  Ａ  Ｖｅｒ１用の保守監視ソフトデータ」５１が格納されているエリアの保守監視ソフトのみを展開することによって（図７のｂ７）、上記の実施例と同様に、従来から使用されていた基地局装置４−１専用の保守監視ソフトと同様に、保守用端末装置３上で動作するため、従来と遜色のない保守業務を行うことができる（図７のｂ８，ｂ９）。
【００４７】
このように、本実施例では、保守監視ソフトデータを統一することによって、誤って異なる保守監視ソフトを基地局装置４−１〜４−４に格納することを防ぐことができるので、保守監視ソフトデータを各基地局装置４−１〜４−４に格納する際の誤りを防ぐことができる。
【００４８】
次に、本発明の別の実施例について説明する。本発明の別の実施例はそのシステム構成と、基地局装置４−１〜４−４及び保守用端末装置３の構成とが上述した本発明の他の実施例と同様であるが、本発明の他の実施例では保守用端末装置３の制御機能部３３が展開するソフトウェアを判断しているのに対し、本発明の別の実施例では基地局装置４−１の保守機能部４１−１が判断している点で異なる。以下、基地局装置４−１の場合に関して、本実施例と上記の本発明の他の実施例との差分について説明する。
【００４９】
本実施例では、基地局装置４−１のデータ記憶機能部４２−１から結合保守監視ソフトデータ５を受け取った保守機能部４１−１が、基地局装置４−１がどのような装置形態並びにサービス内容を実施しているかを判断することが可能であるため、保守用端末装置３に送信する必要のある「ＴＹＰＥ  Ａ  Ｖｅｒ１用の保守監視ソフト」５１が格納されているエリアから必要な保守監視ソフトデータのみを抜き出して保守用端末装置３にダウンロードする。
【００５０】
保守用端末装置３は、上述した本発明の一実施例と同様に、受信したデータを展開することによって、従来から使用されていた基地局装置４−１専用の保守監視ソフトと同様に、保守用端末装置３上で動作するため、従来と遜色のない保守業務を行うことが可能となる。
【００５１】
このように、本実施例では、保守監視ソフトデータを統一することによって、誤って異なる保守監視ソフトを基地局装置４−１〜４−４に格納することを防ぐことができるため、保守監視ソフトデータを各基地局装置４−１〜４−４に格納する際の誤りを防ぐことができる。
【産業上の利用可能性】
【００５２】
本発明は、上述した基地局装置のメンテナンスを行う保守用端末装置以外にも、装置形態とサービス内容とによって用意されるソフトウェアの組み合わせから複数の種類が存在する端末装置のメンテナンスを行う保守用端末装置にも適用可能である。
【図面の簡単な説明】
【００５３】
【図１】本発明の一実施例による保守システムの構成を示すブロック図である。
【図２】図１の基地局装置及び保守用端末装置の構成例を示すブロック図である。
【図３】本発明の一実施例による保守システムの動作を示すシーケンスチャートである。
【図４】本発明の他の実施例による保守システムの構成を示すブロック図である。
【図５】図４の基地局装置及び保守用端末装置の構成例を示すブロック図である。
【図６】図４の結合保守監視ソフトデータの構成例を示す図である。
【図７】本発明の他の実施例による保守システムの動作を示すシーケンスチャートである。
【符号の説明】
【００５４】
１−１〜１−４，
４−１〜４−４  移動体通信用基地局装置
２−１〜２−４  保守監視ソフトデータ
３  保守用端末装置
５  結合保守監視ソフトデータ
１１−１，４１−１  保守機能部
１２−１，４２−１  データ記憶機能部
３１  保守監視ソフト起動プログラム
３２  通信機能部
３３  制御機能部
３４  記憶機能部
５１  ＴＹＰＥ  Ａ  Ｖｅｒ１用の保守監視ソフトデータ
５２  ＴＹＰＥ  Ａ  Ｖｅｒ２用の保守監視ソフトデータ
５３  ＴＹＰＥ  Ｂ  Ｖｅｒ１用の保守監視ソフトデータ
５４  ＴＹＰＥ  Ｂ  Ｖｅｒ２用の保守監視ソフトデータ
５５  ＴＹＰＥ  Ｃ  Ｖｅｒ１用の保守監視ソフトデータ
【図１】
2006058980.tif 000003
【図２】
2006058980.tif 000004
【図３】
2006058980.tif 000005
【図４】
2006058980.tif 000006
【図５】
2006058980.tif 000007
【図６】
2006058980.tif 000008
【図７】
2006058980.tif 000009